【手続補正書】
【提出日】平成17年9月26日(2005.9.26)
【手続補正１】
【補正対象書類名】明細書
【補正対象項目名】全文
【補正方法】変更
【補正の内容】
【書類名】      明細書
【発明の名称】  サイドノック式ボールペン
【特許請求の範囲】
【請求項１】  先端に先具を備えた軸筒内に長手方向に摺動可能に設けられたレフィールと、このレフィールと上記先具との間に装着された前部弾性体と、上記レフィールを摺動せしめるサイドノック機構と、上記レフィールを出没位置に位置せしめるカム機構と、このカム機構の後端部と上記軸筒の後部または後方に設けられた後端部材との間に装着された後部弾性体とから構成されてなり、上記後部弾性体のばね力は前部弾性体のばね力より小さくされてなることを特徴とするサイドノック式ボールペン。
【請求項２】  上記サイドノック機構は、軸筒の窓孔に取り付けられたサイドノック部材とレフィールの後部が挿入される中空のスライダとからなり、かつ上記カム機構は、上記スライダの後端部に設けられた回転カムと、この回転カムに係合するカムバーと、軸筒内周に形成されて上記回転カムが係合する本体カムとからなる請求項１記載のサイドノック式ボールペン。
【請求項３】  上記後部弾性体が密着スプリングである請求項１記載のサイドノック式ボールペン。
【請求項４】  前記後端部材が軸筒の後部に設けられた後端キャップであり、この後端キャップの頭部裏側には横断面が同心円状の起立部が形成され、この起立部と頭部との間に前記後部弾性体の後部が装着されてなる請求項１記載のサイドノック式ボールペン。
【請求項５】  先端に先具を備えた軸筒内に摺動可能に設けられかつ前部側壁に一対の係止突部を備えたレフィールと、このレフィールの係止突部と上記先具との間に装着されたリターンスプリングと、レフィール後部を収納しかつ前部に傾斜案内部を備えた中空のスライダと、このスライダの後端部に当接して設けられた回転カムと、この回転カムに係合可能なカムバーと、上記回転カムが係合するために上記軸筒の内周に形成されたカム溝からなるカム本体と、カムバーの外側の軸筒部分に固設された後部筒体と、この後部筒体の後端に設けられた後端キャップと、この後端キャップとカムバーとの間に装着されたノックスプリングと、上記軸筒の側壁部に形成された窓孔に押圧可能に取り付けられて上記スライダの傾斜案内部に作用してスライダと共に上記レフィールを摺動せしめるサイドノック部材とから構成されてなり、かつ上記ノックスプリングのばね力はリターンスプリングのばね力より小さくされてなることを特徴とするサイドノック式ボールペン。
【請求項６】  前記後端キャップの頭部裏側には横断面が同心円状の起立部が形成され、この起立部と頭部との間に密着スプリングからなるノックスプリングの後端部が装着されてなる請求項５記載のサイドノック式ボールペン。
【発明の詳細な説明】
【０００１】
【発明の属する技術分野】
この発明は、軸筒の側壁に形成された窓孔に設けられたノックボタンを軸筒の内方に向かって押圧することによって操作するサイドノック式ボールペンに関する。
【０００２】
【従来の技術】
従来、サイドスライド式ないしサイドノック式を含むサイド操作式ボールペンとしては、種々提案されており、例えば実願平６−３２３９４号公報に開示されたものがある。図７はこの公報に掲載された従来例であって、符号２１はカム本体、２２は回転カム、２３はカムバーであり、これらは公知の回転カム機構を構成する。
【０００３】
そして、カム本体２１内には回転カム２２とこれに噛合するカムバー２３がこのカムバー２３の後方部を突出するように収められている。回転カム２２及びカムバー２３の貫通孔２４に先端チップ２５ａを有するボールペン用レフィール２５が挿通されている。カム本体２１には先具２６が嵌着、螺着、係着その他適当な手段等により取付けられており、この先具２６の段部７とボールペン用レフィール１２の受部２８との間に引っ込み用ばね２９が挿設されている。
【０００４】
【発明が解決しようとする課題】
しかしながら、このような従来のボールペンでは、一般的にプラスチック製のレフィールを二次加工してスプリング係止突部が形成される。そこで、成形上係止突部のレフィール上の位置にばらつき（通常±１．０ｍｍ）があり、この半円形状の係止突部の前後端を利用してレフィールの摺動を行っていたので、正確にノック操作を行なえないという不都合があった。
【０００５】
そこで、この発明は、上記従来の欠点を解消したものであって成形上ばらつきのあるレフィールの外壁に形成されたいわゆるスプリング止めである係止突部を利用しないで、レフィール後端を利用してノックスプリングを取り付けたノック操作が確実なサイドノック式ボールペンを提供することを目的とするものである。
【０００６】
【課題を解決するための手段】
上記目的を達成するために、この発明に係るサイドノック式ボールペンは、先端に先具を備えた軸筒内に長手方向に摺動可能に設けられたレフィールと、このレフィールと上記先具との間に装着された前部弾性体と、上記レフィールを摺動せしめるサイドノック機構と、上記レフィールを出没位置に位置せしめるカム機構と、このカム機構の後端部と上記軸筒の後部または後方に設けられた後端部材との間に装着された後部弾性体とから構成されてなり、上記後部弾性体のばね力は前部弾性体のばね力より小さくされてなる。
【０００７】
さらに、この発明に係るサイドノック式ボールペンは、先端に先具を備えた軸筒内に摺動可能に設けられかつ前部側壁に一対の係止突部を備えたレフィールと、このレフィールの係止突部と上記先具との間に装着されたリターンスプリングと、レフィール後部を収納しかつ前部に傾斜案内部を備えた中空のスライダと、このスライダの後端部に当接して設けられた回転カムと、この回転カムに係合可能なカムバーと、上記回転カムが係合するために上記軸筒の内周に形成されたカム溝からなるカム本体と、カムバーの外側の軸筒部分に固設された後部筒体と、この後部筒体の後端に設けられた後端キャップと、この後端キャップとカムバーとの間に装着されたノックスプリングと、上記軸筒の側壁部に形成された窓孔に押圧可能に取り付けられて上記スライダの傾斜案内部に作用してスライダと共に上記レフィールを摺動せしめるサイドノック部材とから構成されてなり、かつ上記ノックスプリングのばね力はリターンスプリングのばね力より小さくされてなる。
【０００８】
【発明の実施の形態】
以下、添付の図面を用いてこの発明の実施の形態によるサイドノック式ボールペンを詳細に説明する。図１はレフィール収納状態を示し、図２は筆記状態を示しており、図において軸筒１の先端には先具２が螺合構造により取り外し可能に設けられている。
【０００９】
さらに、軸筒１内にはボールペンインクが充填されたレフィール３が摺動可能に設けられている。即ち、先端に先端チップ３ａを有するレフィール３の側壁部には一対の係止突部３ｂが一体的に設けられており、この係止突部３ｂと先具２の内壁との間にリターンスプリング４（前部弾性体）が設けられてレフィール３を後方に付勢している。
【００１０】
また、レフィール３の中間部の外周には図５に示すような中空のスライダ５が装着されている。即ち、このスライダ５は、中空のスライダ本体５ａと、このスライダ本体５ａの前端部の外側に形成されたガイド面５ｂｂを有する大径の傾斜案内部５ｂと、後部の外周に形成されたフランジ５ｃとから構成されてなる。
【００１１】
なお、図６から明らかなように、スライダ５の傾斜案内部５ｂの左右両側には長手方向にガイド溝５ｄが形成されてなり、このガイド溝５ｄは、スライダ５が軸筒１内にセットされると軸筒１内壁の長手方向に形成された一対のガイドリブ１ｃに係合して以後スライダ５は軸筒１に関して回り止めが施される。
【００１２】
さらに、上記スライダ５のフランジ５ｃに当接してレフィール３の後端およびスライダ５の後端を包み込むように開口周囲に鍔部６ａを有する回転カム６が設けられている。そしてこの回転カム６の鍔部６ａは上記スライダ５のフランジ５ｃの後部に当接している。また、回転カム６の後方には開口部外周に係合凸部６ｂを備えたカムバー７が回転カム６と係合可能に設けられている。そしてこのカムバー７は軸筒１に圧入されたクリップ９付の後部筒体８内に収納されている。また上記回転カム６は、軸筒１の内周に形成されたカム溝であるカム本体１ｄと係合可能に設けられている。
【００１３】
さらに、後部筒体８にはキャップ９が取り付けられており、上記カムバー７とキャップ８との間には密着スプリングからなるノックスプリング１０（後部弾性体）が設けられてレフィール３およびスライダ５を前方に付勢している。なお、このノックスプリング１０のばね力は前方のリターンスプリング４のばね力より小さいことが必須である。例えば、リターンスプリング４のばね力を４０ｇとするとノックスプリング１０のばね力を２０ｇとしなければならない。
【００１４】
即ち、ノックスプリング１０の作用は、カム本体１ｄによって回転カム６、カムバー７を動作せしめることであり、またノックスプリング１０はレフィール３の動きに従って作動し、カムの切換を生じる。この時、ノックスプリング１０のばね力がリターンスプリング４のばね力より強いとカムの切換ができない。従って、ノックスプリング１０は回転カム６およびカムバー７が作動する力のみを必要とする。一方、リターンスプリング４は、主動作をなす比較的強いばね力のスプリングで筆記時・収納時の作動をなす。この時作動させるものとしては、筆記時にはスライダ５、リターンスプリング４、レフィール３であり、収納時はスライダ５、リターンスプリング４、レフィール３、回転カム６、カムバー７、ノックスプリング４である。
【００１５】
さらに、軸筒１の側壁には窓孔１ａが形成されており、この窓孔１ａの一端に枢着された二股のノックボタン１２（サイドノック部材）が取り付けられている。そしてこのノックボタン１２の他端内側の二股の肩部が夫々上記スライダ５の傾斜案内部５ｂに当接している。
【００１６】
さらに、軸筒１の後部内側には段部１ｂが形成されており、この段部１ｂをストッパ部として上記したクリップ９付きの後部筒体８が圧入されており、この後部筒体８の後部の受け部８ｂ内には後端キャップ１１（後端部材）が圧入されている。なお、このキャップ１１の頭部裏側には横断面が同心円状の起立部１１ａが形成されている。そして、この起立部１１ａとキャップ１１の頭部外周壁との間には密着スプリングであるノックスプリング１０の後部が確実に装着されている。
【００１７】
次に、この発明に係るサイドノック式ボールペンの構成をより理解し易いようにその組立を説明する。まず、軸筒１の後方からスライダ５及びカム機構を構成する回転カム６、カムバー７等を軸筒内にセットすると共にクリップ９付きの後部筒体８を圧入し、更にノックスプリング１０と共に後端キャップ１１を後部筒体８に圧入・固定する。
【００１８】
さらに、ノックボタン１２の後部内側角部に形成された切り欠き１２ａを軸筒の窓孔１ａに形成された取り付け部に枢着可能に取り付ける。最後に軸筒１の前方向からリターンスプリング４の後端をレフィール３の係止突部３ｂに至るまで押し込んでレフィール３に装着したものを挿入し、先具２を軸筒１に螺合して組み立てを完了する。
【００１９】
上記のような実施の形態によるサイドノック式ボールペンにおいて、ノックボタン１２を押圧して、その前端を径方向に回動・下降せしめるとスライダ５およびレフィール３がリターンスプリング４に抗して先具２の開口から先端チップ３ａが突出される。
【００２０】
この間、回転カム６が前方に移動しかつカムバー７はノックスプリング１０に付勢されて前方に移動する。そしてカム溝であるカム本体１ｄに対して回転カム６がカムバー７により所定角度回転して回転カム６のカムとカムバー７とが係合した状態となる。そこで、図２に示されたように先端チップ３ａが先具２より突出した状態に維持されるので筆記することが可能となる。
【００２１】
次に、筆記を終了して先端チップ３ａを収納する場合には、ノックボタン１２を押圧する。すると、ノックスプリング１０のばね力は前方のリターンスプリング４のそれより小さいのでスライダ５及びレフィール３がリターンスプリング４に抗して先具２より先端チップ３ａが筆記状態より更に少し前進するとともに回転カム６がカムバー７により所定角度回転して回転カム６のカムとカムバー７との係合が解除され、カム本体１ｄに対して回転カム６とカムバー７がリターンスプリング４に付勢されて後方に移動する。そして、レフィール３の先端チップ３ａが先具２内に収納されて図１の状態となる。
【００２２】
なお、上記実施の形態では、後端キャップ１０は後部筒体８を介して軸筒１に固設されていたが、直接軸筒１に固設されても良く、後部筒体８と一体成形されても良い。
【００２３】
【発明の効果】
レフィールに形成された成形上その位置形成にばらつきのある係止突部に代えてレフィールの摺動をレフィール後端部に設けられたノックスプリングを利用してノック操作を行なうことができるのでノック操作が簡単かつ確実である効果を奏する。
【図面の簡単な説明】
【図１】
この発明の実施の形態によるサイドノック式ボールペンのレフィール収納時の状態を示す縦断面図である。
【図２】
図１のサイドノック式ボールペンの筆記可能な状態を示す縦断面図である。
【図３】
図２の状態を示すサイドノック式ボールペンの正面図である。
【図４】
図１の内部機構を示す説明図である。
【図５】
図１のサイドノック式ボールペンに用いられるスライダの正面図である。
【図６】
図１のサイドノック式ボールペンのＡ−Ａ線に沿った断面図である。
【図７】
従来のサイド操作式ボールペンを示す縦断面図である。
【符号の説明】
１    軸筒
１ａ  窓孔
１ｂ  段部
１ｃ  ガイドリブ
１ｄ  カム本体
２    先具
３    レフィール
３ａ  先端チップ
３ｂ  係止突部
４    リターンスプリング（前部弾性体）
５    スライダ
５ａ  スライダ本体
５ｂ  傾斜案内部
５ｃ  フランジ
５ｄ  ガイド溝
６    回転カム
６ａ  鍔部
７    カムバー
８    後部筒体
８ａ  段部
８ｂ  受け部
９    クリップ
１０  ノックスプリング（後部弾性体）
１１  後端キャップ（後端部材）
１１ａ  起立部
１２  ノックボタン（サイドノック部材）
１２ａ  切り欠き